(57)【要約】【課題】栗石が充填された大重量の石詰篭を吊り上げて運搬するための簡易で効率的な吊上装置を提供する。【解決手段】ワイヤロープ２１を掛けるための基枠２２と、該基枠２２に水平かつ互いに平行に支持されて中心軸線Ｌ１の回りに回動自在の一対の吊支軸２７と、上端を該吊支軸２７に支持されて下向きに延び、下端に石詰篭１の側面網３，３における列線８と８との係合部８Ａに係止させるための鈎部２８ａを有する複数の吊金具２８とを有し、上記吊支軸２７と吊金具２８とが、該吊支軸２７の回動に対して相互に固定関係にあると共に、該吊支軸２７が、上記複数の吊金具２８の自重によって各吊金具下端の鈎部２８ａが上記列線８の係合部８Ａに係止する姿勢を保つように構成される。【選択図】図１
2007315142.tif 000002
【特許請求の範囲】
【請求項１】
菱形金網からなる矩形の箱形をした石詰篭を、内部に石詰めした状態で吊り上げるための吊上装置であって、
ワイヤロープを掛けるための基枠と、該基枠に水平かつ互いに平行であるように支持されて自身の中心軸線の回りに回動自在の一対の吊支軸と、上端をこの吊支軸に支持されて下向きに延び、下端に上記石詰篭の側面網における列線と列線との係合部に係止させるための鈎部を有する複数の吊金具とを有し、
上記吊支軸と吊金具とが、該吊支軸の回動に対して相互に固定関係にあると共に、該吊支軸が、上記複数の吊金具の自重によって各吊金具下端の鈎部が上記列線の係合部に係止する姿勢を保つように構成されていることを特徴とする石詰篭用吊上装置。
【請求項２】
上記吊金具が、下端の鈎部の位置を上記吊支軸に沿う方向に調節自在であることを特徴とする請求項１に記載の吊上装置。
【請求項３】
上記各吊金具が、上記吊支軸の中心軸線と直交する軸線の回りに回動自在に支持されていることを特徴とする請求項２に記載の吊上装置。
【請求項４】
上記吊金具が細長い棒状をしていて、石詰篭の上面に吊支軸が接触しない状態で上記側面網における一番上の列線と２番目の列線との係合部に係止可能な長さを有すると共に、これら両列線の係合部の数と同じ数だけ設けられていることを特徴とする請求項１から３の何れかに記載の吊上装置。
【請求項５】
上記吊支軸が丸棒からなっていて、上記基枠にＵボルトで回動自在に支持されていることを特徴とする請求項１から４の何れかに載の吊上装置。
【請求項６】
上記吊支軸に、該吊支軸を回動操作することにより各吊金具の下端の鈎部を上記列線の係合部から外すためのハンドルが設けられていることを特徴とする請求項１から５の何れかに記載の吊上装置。
【発明の詳細な説明】
【技術分野】
【０００１】
本発明は、菱形金網からなる矩形の箱形をした石詰篭を内部に石詰めした状態で吊り上げるための吊上装置に関するものである。
【背景技術】
【０００２】
例えば、護岸工事や道路工事等の各種工事に使用される石詰篭（角形蛇篭）は、菱形金網によって六面体状に形成され、その設置に当たっては、空の石詰篭を工事現場に運搬して所定の場所に配置したあと、別途に搬入した栗石を充填するのが一般的であった。ところが、この場合の作業の主体は人力であるため、工事が完成するまでに多くの手数と時間とが必要であり、効率的とはいえなかった。
【０００３】
そこで、このような問題を解決するため特許文献１には、空の石詰篭に予め骨材である栗石を詰めることにより、必要量の栗石が充填された石詰篭を形成し、この石詰篭を施工現場へ搬送して設置する方法が開示されている。この方法によれば、石詰篭と骨材とを施工現場に別々に搬送する必要がなく、しかも、現場での充填作業も必要ないため、作業が大幅に簡略化されることになる。
【０００４】
ところで、上記方法の実施には吊上装置（リフタ手段）が使用されるが、石詰めによって大重量化した石詰篭を吊り上げねければならないため、現実に使用可能な吊上装置を得るとなると、強度的な問題などによってその構造がどうしても複雑なものになってしまいがちである。特に、この特許文献１においては、シャフトに取り付けた複数の吊下金具を石詰篭に引っ掛けてワイヤロープで吊り上げる場合に、一部の吊下金具に上記ワイヤロープを連結し、これらのワイヤロープ及び吊下金具を介して上記シャフトを全ての吊下金具が石詰篭に引っ掛かる方向に回動させ、その状態で吊り上げるようにしているため、その構成はかなり複雑である。
【特許文献１】特開２００２−９７６１６号公報
【発明の開示】
【発明が解決しようとする課題】
【０００５】
そこで本発明の目的は、栗石が充填された大重量の石詰篭を吊り上げて運搬するための構成が簡単で機能性に勝れた吊上装置を提供することにある。
【課題を解決するための手段】
【０００６】
上記目的を達成するため、本発明の吊上装置は、ワイヤロープを掛けるための基枠と、該基枠に水平かつ互いに平行であるように支持されて自身の中心軸線の回りに回動自在の一対の吊支軸と、上端を該吊支軸に支持されて下向きに延び、下端に上記石詰篭の側面網における列線と列線との係合部に係止させるための鈎部を有する複数の吊金具とを有し、上記吊支軸と吊金具とが、該吊支軸の回動に対して相互に固定関係にあると共に、該吊支軸が、上記複数の吊金具の自重によって各吊金具下端の鈎部が上記列線の係合部に係止する姿勢を保つように構成されていることを特徴とするものである。
【０００７】
本発明において上記吊金具は、下端の鈎部の位置を上記吊支軸に沿う方向に調節自在であることが望ましい。
この場合、上記各吊金具を、上記吊支軸の中心軸線と直交する軸線の回りに回動自在に支持された構成とすることができる。
本発明において好ましくは、上記吊金具が細長い棒状をしていて、石詰篭の上面に吊支軸が接触しない状態で上記側面網における一番上の列線と２番目の列線との係合部に係止可能な長さを有すると共に、これら両列線の係合部の数と同じ数だけ設けられていることである。
また、本発明おいては、上記吊支軸が丸棒からなっていて、上記基枠にＵボルトで回動自在に支持されていても良い。
さらには、上記吊支軸に、該吊支軸を回動操作することにより各吊金具の下端の鈎部を上記列線の係合部から外すためのハンドルが設けることもできる。
【発明の効果】
【０００８】
本発明によれば、複数の吊金具の下端の鈎部を、石詰篭の側面網における列線と列線との係合部に係止させることにより、該石詰篭を吊り上げて目的の場所に運搬することができる。その場合、上記吊支軸が、複数の吊金具の自重によって各吊金具下端の鈎部が上記列線の係合部に係止する姿勢を保つように構成されているから、そのままの姿勢で各吊金具を石詰篭に係止させることができ、従来のように、ワイヤロープの吊下力を利用して上記吊金具を石詰篭に係止する方向に付勢する必要がなく、このため、構成が簡単で機能性に勝れる。
【発明を実施するための最良の形態】
【０００９】
図１〜図６は本発明の一実施形態を示すもので、図中の符号１は、内部に石詰めがされた石詰篭、符号２０は、この石詰篭を吊り上げるための吊上装置を示している。
上記石詰篭１は、図１から分かるように、底面網２と、相対する前後一対の側面網３，３と、他の相対する左右一対の側面網４，４と、必要に応じて取り付けられる上面網５とを有していて、矩形形状を有するこれらの各面網２，３，４，５によって一方向に長い矩形の箱形に形成され、内部に骨材としての栗石６を充填した状態で建設資材として取り扱われるものである。
【００１０】
上記各面網２，３，４，５は、何れも菱形金網によって形成されている。この菱形金網は、図５及び図６から分かるように、扁平螺旋形状に折曲した複数の列線８を折曲部８ａにおいて順次連係してなるもので、上記各面網２，３，４，５を形成する場合、上記列線８を各面網の縦横何れの方向に向けても良いが、上記側面網３，３においては、列線８を該側面網３，３の長さ方向（横方向）に向けて延在させることが望ましい。これらの側面網３，３は、他の側面網４，４に比べ、面網の横方向長さが長く形成されている。
【００１１】
上記各面網２，３，４，５は、それぞれを個別に形成して相互に連結しても、一部の面網を一つの菱形金網によって一体に形成しても良い。例えば、底面網２における列線８の向きを上記側面網３，３と同じ向きにした場合には、これらの底面網２と側面網３，３とを一連の菱形金網により形成することができる。また、隣接する面網同士の連結は、各面網２，３，４，５の外周を取り囲む針金製の外周枠９の互いに対応する枠辺同士を、スクリューストッパーのような連結金具１０（図１参照）で結合することにより行われる。
【００１２】
上記吊上装置２０は、ワイヤロープ２１を掛けるための基枠２２を有している。この基枠２２は、Ｈ型鋼からなる前後及び左右の二対の横枠部材２３，２３及び２４，２４を、全体として矩形をなすように組み合わせ、それらを溶接やボルト締め等によって相互に結合したもので、上記石詰篭１の大きさに適合する大きさに形成され、上面の複数箇所に上記ワイヤロープ２１を掛けるためのロープ掛け２６を有している。しかし、上記Ｈ型鋼の代わりに、Ｌ型鋼や溝型鋼などの強度の大きいその他の形鋼を用いて基枠２２を形成することもできる。
また、基枠２２としての強度を高めるため、補強部材を対角線状に掛け渡したり、相対する横枠部材２３、２３間及び／又は２４，２４間に掛け渡しても良い。
【００１３】
上記基枠２２における二対の横枠部材２３，２３及び２４，２４のうち、長さの長い一対の横枠部材２３，２３、すなわち石詰篭１の側面網３，３と対応する横枠部材２３，２３には、複数の吊金具２８を支持する吊支軸２７がそれぞれ取り付けられている。この吊支軸２７は、多角形断面でも良いが好ましくは図に示すような円形断面を有するもので、上記横枠部材２３の下面の中央部に該横枠部材２３に沿って水平に配設され、複数の支持金具２９によって自身の中心軸線Ｌ１の回りで回動自在なるように支持されている。この吊支軸２７の長さは、上記横枠部材２３の長さとほぼ同程度であって、石詰篭１の側面網３の長さよりは若干長めである。また、上記支持金具２９はＵボルトにより形成され、このＵボルトの両端の螺子部２９ａが、上記横枠部材２３の下部のフランジ部２３ａにナット３０で固定されている。
【００１４】
上記吊金具２８は、金属製の細長い丸棒あるいは角棒からなっていて、その下端部に、上記石詰篭１の側面網３における上下の列線８と８との係合部８Ａに係止させるための鈎部２８ａを有している。この鈎部２８ａは、図３及び図６から良く分かるように、吊金具２８の下端部を基枠２２の内側に向けて斜め上向きに折り曲げるか、又は、金属製の短い棒材を内側斜め上向きに傾斜させて溶接することにより形成されている。上記鈎部２８ａの先端は、鉛直な面をなすように切断されている。
【００１５】
また、上記吊金具２８の上端部は、上記吊支軸２７から下向きに延びる一対の軸受部材２７ａ，２７ａの間に嵌合し、上記中心軸線Ｌ１と直交する支軸３２で該支軸３２を中心にして回動自在なるように支持されている。従って該吊金具２８は、上記支軸３２と直交する軸線（中心軸線Ｌ１と平行な軸線）の回りには非回動である。換言すれば、上記各吊金具２８は、上記吊支軸２７に沿う方向には上記支軸３２の軸線Ｌ２を中心にして揺動自在であるが、該吊支軸２７の回動に対しては該吊支軸２７と固定の関係にある。そして、上記吊支軸２７は、上記複数の吊金具２８の自重により、通常は各吊金具２８の下端の鈎部２８ａが上記列線８の係合部８Ａに係止するときの姿勢（図１参照）を保つようになっている。
【００１６】
上記吊上装置２０で石詰篭１を吊り上げる場合、図４及び図５に示すように、パワーショベル等の建設機械によりワイヤロープ２１を介して基枠２２を吊支し、相対する一対の吊支軸２７，２７に取り付けられている各吊金具２８の下端の鈎部２８ａを、石詰篭１の相対する前後の側面網３，３における上下の列線８と８との係合部８Ａに係止させ、その状態で上記ワイヤロープ２１で基枠２２を吊り上げるようにする。
【００１７】
ここで、上記吊金具２８を列線８，８の係合部８Ａに係止させる作業は次のようにして行う。即ち、図３に鎖線で示すように、上記吊支軸２７を中心軸線Ｌ１の回りに回動させることにより、各吊金具２８の下端の鈎部２８ａを石詰篭１から離れるように基枠２２の外側に向けて変位させた状態で、この鈎部２８ａが上記係合部８Ａより若干低位置を占めるように基枠２２の高さを調整し、そのあと、上記吊支軸２７を逆方向に回動させて上記各吊金具２８を図３の実線の位置に戻すことにより、該吊金具２８の下端の鈎部２８ａを側面網３，３の網目内に挿入させ、その状態で基枠２２を若干上昇させる。すると、上記鈎部２８ａが列線８，８の係合部８Ａに係止する。
【００１８】
このとき、上記各吊金具２８の実線位置と鎖線位置との間の変位は、上記吊支軸２７を回動させることによって一斉に行われる。特に、鎖線位置から実線位置への変位は、上記複数の吊金具２８の自重によって自動的に行われ、その姿勢のまま各吊金具下端の鈎部２８ａが上記列線８の係合部８Ａに係止することになる。このため、従来のように、ワイヤロープの吊下力を利用して上記吊金具を石詰篭に係止する方向に付勢するといった複雑な構成を採用する必要がなく、構成が簡単で機能性に勝れる。
【００１９】
また、一部の吊金具２８の位置が係合部８Ａの位置から若干ずれている場合には、鈎部２８ａを側面網３の網目内に挿入させる段階で、図２において一番左の吊金具２８について示すように、該吊金具２８を上記支軸３２を中心して吊支軸２７に沿う方向に回動させることにより、その鈎部２８ａを所定の係合部８Ａに係止させることができる。
【００２０】
なお、上記吊支軸２７の回動操作を容易にするため、図１に示すように、該吊支軸２７の端部に回動操作用のハンドル３３を取り付けることができる。また、該吊支軸２７は、吊金具２８を図３の鎖線の回動位置に一時的に保持させるため、ロック機構でこの回動位置に係止可能なるように構成することも可能である。
【００２１】
かくして吊り上げられた石詰篭１は、それを一時的に保管するための保管場所や、トラックやその他の運搬機械の荷台、あるいは工事現場における設置場所等に運ばれ、上記吊上装置２０から解放される。その解放に当たって各吊金具２８を列線８，８の係合部８Ａから外す作業は、上記係止させる場合とは逆の操作により行う。即ち、基枠２２の高さを各吊金具２８の鈎部２８ａが係合部８Ａよりも若干低位置を占めるように調整することにより、上記鈎部２８ａを網目内に位置させたあと、上記吊支軸２７を中心軸線Ｌ１の回りに回動させることにより、各吊金具２８を下端の鈎部２８ａが図３に鎖線で示す位置を占めるように回動させ、その状態で基枠２２を上昇させれば良い。
【００２２】
ここで、上記吊金具２８の好ましい上下方向長さは、図５及び図６に示すように石詰篭１を吊り上げる時、上記吊支軸２７が石詰篭１の上面に接触しない状態で、上記鈎部２８ａが、側面網３における一番上の列線８と２番目の列線８との係合部８Ａに係止可能なるような長さである。また、該吊金具２８を各吊支軸２７に設置する数は、上記一番上の列線８と２番目の列線８との係合部８Ａの数と同じ数であることが望ましい。これにより、石詰めによって大重量化した石詰篭１を、その全ての網目に上記吊金具２８を係止させて吊り上げることができるため、該石詰篭１の変形を生じることなく確実かつ安定的に吊り上げることができる。
【００２３】
しかし、石詰篭１の高さによっては、上記吊金具２８を、上から２番目の列線８と３番目の列線８との係合部８Ａか、それより下段の係合部８Ａに係止させて該石詰篭１を吊り上げてもよく、その場合には、上記吊金具２８の長さ及び本数は、その吊り下げに必要な長さ及び本数とされることはいうまでもないことである。
しかしながら、重量が比較的軽い小形の石詰篭を吊上対象とする吊上装置においては、吊金具の数が列線８，８の係合部８Ａの数より若干少なくても良い。
【００２４】
図示の実施形態においては、吊金具２８が吊支軸２７に支軸３２で回動自在に連結されているが、それらは溶接等によって一体に固定されていても良い。
あるいは、各吊金具の上端に環又は孔を形成し、この環又は孔に吊支軸を挿通することで各吊金具を吊支軸に取り付けても良い。この場合、一部又は全部の吊金具を吊支軸に沿って位置調節自在とし、必要な位置に螺子等の固定手段で固定できるように構成することも可能である。
【００２５】
また、図示の実施形態においては、石詰篭１の長尺側の側面網３，３の網目に吊金具２８を引っ掛けて吊り上げるようにしているが、短尺側の側面網４，４の網目に吊金具２８を引っ掛けて吊り上げるようにしても良い。この場合には、長さの短い一対の横枠部材２４，２４、すなわち石詰篭１の側面網４，４と対応する横枠部材２４，２４に、上記吊支軸２７と吊金具２８とが設けられる。
なお、上記基枠２２は必ずしも矩形をしている必要はなく、上記吊支軸２７を支持する一対の横枠部材２３，２３又は２４，２４を少なくとも備えていれば良い。
【図面の簡単な説明】
【００２６】
【図１】本発明に係る吊上装置で石詰篭を吊り上げる前の状態を示す斜視図である。
【図２】上記吊上装置の部分側面図である。
【図３】図２のＡ−Ａ拡大断面図である。
【図４】上記吊上装置で石詰篭を吊り上げた状態の斜視図である。
【図５】図４の側面図である。
【図６】図５の部分拡大断面図である。
【符号の説明】
【００２７】
１      石詰篭
８      列線
２０      吊上装置
２１      ワイヤロープ
２２      基枠
２７      吊支軸
２８      吊金具
２９      Ｕボルト（支持金具）
２８ａ      鈎部
３３      ハンドル
Ｌ１      中心軸線
Ｌ２      軸線
【図１】
2007315142.tif 000003
【図２】
2007315142.tif 000004
【図３】
2007315142.tif 000005
【図４】
2007315142.tif 000006
【図５】
2007315142.tif 000007
【図６】
2007315142.tif 000008